(57)【特許請求の範囲】
【請求項１】
浴槽と給湯装置との間で湯水を循環させるための第１および第２の配管を含む追焚配管と、
前記給湯装置で発生したドレンを貯留するためのドレンタンクと、
前記追焚配管の前記第１および第２の配管を切り替えるための切替弁と、
前記第１および第２の配管を切り替えるよう前記切替弁を制御し、かつ前記ドレンタンクに貯留されたドレンを所定のタイミングで排出するよう制御するための制御部と、
前記浴槽の上流でドレンを排水路に排出するように前記第２の配管に接続された排出弁とを備え、
前記浴槽への注湯動作を行なっている最中に、前記制御部からドレン排出指令が出されたときには、前記追焚配管のうち前記第１の配管を利用して前記給湯装置から前記浴槽内へ湯水を搬送するとともに、前記第２の配管を利用して前記ドレンタンクから前記排出弁を通じて前記排水路にドレンを排水するよう構成された、ドレン排出装置。
【請求項２】
前記ドレンタンク内のドレンの排出が完了したときには、前記切替弁によって前記第１および第２の配管を切り替えて前記第２の配管内に湯水を流入させて前記第２の配管内を洗浄するとともに、洗浄に用いた前記湯水を前記排出弁を通じて前記排水路に排水するよう構成されている、請求項１に記載のドレン排出装置。
【請求項３】
浴槽と給湯装置との間で湯水を循環させるための第１および第２の配管を含む追焚配管と、
前記給湯装置で発生したドレンを貯留するためのドレンタンクと、
前記追焚配管の前記第１および第２の配管を切り替えるための切替弁と、
前記第１および第２の配管を切り替えるよう前記切替弁を制御し、かつ前記ドレンタンクに貯留されたドレンを所定のタイミングで排出するよう制御するための制御部と、
前記浴槽の上流でドレンを排水路に排出するように前記第２の配管に接続された排出弁と、
前記浴槽内の水位を検知するための水位検知部とを備え、
前記浴槽内に湯水が貯留されていることを前記水位検知部が検知していても、注湯動作の動作状況であれば前記制御部のドレン排出指令に基づいてドレンが前記排出弁を通じて前記排水路に排水可能に構成されている、ドレン排出装置。
【請求項４】
前記浴槽に湯水が貯留されている場合、前記水位検知部が前記浴槽内の湯水の水位が所定の期間変動しない場合のみドレンを前記排出弁を通じて前記排水路に排水するように構成されている、請求項３に記載のドレン排出装置。
【請求項５】
前記切替弁が前記給湯装置内に設けられた２つの三方弁であり、前記排出弁が２つの逆止弁を組み合わせた構成を有する、請求項１〜４のいずれかに記載のドレン排出装置。
【発明の詳細な説明】
【技術分野】
【０００１】
本発明は、ドレン排出装置に関するものである。
【背景技術】
【０００２】
従来、風呂給湯器と浴槽とを循環通路によって互いに接続し、循環ポンプの作動により浴槽内の湯水を風呂給湯器との間で強制循環させることで、浴槽内の湯水を追焚可能とした浴槽の風呂給湯システムが知られている。このシステムでは、往配管と復配管とを有する追焚配管が浴槽に接続されている。
【０００３】
また給湯装置の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。このドレンは、ドレン回路により機器外部に排出され、あるいはタンクに溜められた後にポンプにより強制排出される。
【０００４】
上記のような追焚可能な給湯装置におけるドレンの排出は、たとえば特開２００６−３０３９号公報（特許文献１）、特開２０１１−６９６１０号公報（特許文献２）に開示されている。
【０００５】
上記２つの公報には、熱交換器で発生したドレンを回収するドレン回収手段と追焚管路とをドレン管路で接続し、ドレン回収手段のドレンをドレン管路および追焚管路を通して排水側に排出させることが記載されている。
【先行技術文献】
【特許文献】
【０００６】
【特許文献１】特開２００６−３０３９号公報
【特許文献２】特開２０１１−６９６１０号公報
【発明の概要】
【発明が解決しようとする課題】
【０００７】
しかしながら特開２００６−３０３９号公報には、注湯動作や追焚動作を実行している場合には、ドレン排出を行わない旨が明記されている。また特開２０１１−６９６１０号公報にも、追焚管路が使用中でない場合にドレン排出処理が行われる旨が明記されている。
【０００８】
上記２つの公報では注湯動作で追焚配管の使用中にはドレンの排出が行われないため、追焚配管使用中は風呂給湯装置内にドレンを貯めておく必要がある。このため、追焚配管使用中にドレンがドレンタンクから溢れないように、ドレンタンクなどのドレン回収手段を大型化する必要がある。これにより、給湯装置自体が大型化するという問題がある。
【０００９】
また注湯動作中にドレンタンクが満杯になった場合には、注湯動作を一時停止してドレンを排出する必要があり、注湯動作に要する時間が長くなるという問題がある。
【００１０】
本発明は、上記の課題を鑑みてなされたものであり、その目的は、ドレンタンクを大型化する必要がなく、かつ注湯動作に要する時間の長時間化を防止できるドレン排出装置を提供することである。
【課題を解決するための手段】
【００１１】
本発明の一のドレン排出装置は、追焚配管と、ドレンタンクと、切替弁と、制御部と、排出弁とを備えている。追焚配管は、浴槽と給湯装置との間で湯水を循環させるための第１および第２の配管を含む。ドレンタンクは、給湯装置で発生したドレンを貯留するためのものである。切替弁は、追焚配管の第１および第２の配管を切り替えるためのものである。制御部は、第１および第２の配管を切り替えるよう切替弁を制御し、かつドレンタンクに貯留されたドレンを所定のタイミングで排出するよう制御するためのものである。排出弁は、浴槽の上流でドレンを排水路に排出するように第２の配管に接続されている。浴槽への注湯動作を行なっている最中に、制御部からドレン排出指令が出されたときには、追焚配管のうち第１の配管を利用して給湯装置から浴槽内へ湯水を搬送するとともに、第２の配管を利用してドレンタンクから排出弁を通じて排水路にドレンを排水するようドレン排出装置は構成されている。
【００１２】
本発明の一のドレン排出装置によれば、浴槽への注湯動作を行なっている最中に第２の配管を利用してドレンタンクからドレンが排水されるため、注湯動作時などにもドレンタンク内にドレンを貯めておく必要がなく、ドレンタンクを大型化する必要がない。よってドレンタンクの大型化に伴う給湯装置の大型化を防止することができる。
【００１３】
またドレンタンクからドレンを排水する際に注湯動作を一時停止する必要もないため、注湯動作に要する時間の長時間化を防止することができる。
【００１４】
上記一のドレン排出装置においては、ドレンタンク内のドレンの排出が完了したときには、切替弁によって第１および第２の配管を切り替えて第２の配管内に湯水を流入させて第２の配管内を洗浄するとともに、洗浄に用いた湯水を排出弁を通じて排水路に排水するようドレン排出装置は構成されている。これにより、ドレン排出後にドレンが通った第２配管を洗浄することができ、かつ洗浄に用いた湯水を排水することができる。
【００１５】
本発明の他のドレン排出装置は、追焚配管と、ドレンタンクと、切替弁と、制御部と、排出弁と、水位検知部とを備えている。追焚配管は、浴槽と給湯装置との間で湯水を循環させるための第１および第２の配管を含む。ドレンタンクは、給湯装置で発生したドレンを貯留するためのものである。切替弁は、追焚配管の第１および第２の配管を切り替えるためのものである。制御部は、第１および第２の配管を切り替えるよう切替弁を制御し、かつドレンタンクに貯留されたドレンを所定のタイミングで排出するよう制御するためのものである。排出弁は、浴槽の上流でドレンを排水路に排出するように第２の配管に接続されている。水位検知部は、浴槽内の水位を検知するためのものである。浴槽内に湯水が貯留されていることを水位検知部が検知していても、注湯動作の動作状況であれば制御部のドレン排出指令に基づいてドレンを排出弁を通じて排水路に排水可能となるようにドレン排出装置は構成されている。
【００１６】
浴槽内に湯水が貯留されている場合でもシャワーや台所に給湯するために給湯装置が使用されている場合には、ドレンタンクにはドレンが貯留されていき、ドレンがドレンタンクから溢れる可能性がある。
【００１７】
これに対して本発明の他のドレン排出装置によれば、浴槽内に湯水が貯留されていることを水位検知部が検知していても、注湯動作の動作状況であればドレンが排水可能である。このため、浴槽内に湯水が貯留されている場合でも給湯装置がシャワーや台所に給湯するために使用されている最中にドレンを排出することができる。よって、ドレンがドレンタンクから溢れることが防止され得る。
【００１８】
上記他のドレン排出装置においては、浴槽に湯水が貯留されている場合、水位検知部が浴槽内の湯水の水位が所定の期間変動しない場合のみドレンを排出弁を通じて排水路に排水するようにドレン排出装置は構成されている。仮に浴槽に人がいる場合に、その人の動作に連動しないタイミングでドレン排出のための動作音が生じると、装置の故障などとの勘違いや不安を生じさせるおそれがある。これに対して上記他のドレン排出装置においては、水位検知部が浴槽内の湯水の水位が所定の期間変動しない場合には浴槽に人がいないと判断して、浴槽に湯水があってもドレン排出が許可されるため、ユーザーに装置の故障などの勘違いや不安を生じさせることを防止できる。
【００１９】
上記一および他のドレン排出装置においては、切替弁が給湯装置内に設けられた２つの三方弁であり、排出弁が２つの逆止弁を組み合わせた構成を有している。これにより、浴槽への注湯動作を行なっている最中に、制御部からドレン排出指令が出されたときに、追焚配管のうち第１の配管を利用して給湯装置から浴槽内へ湯水を搬送するとともに、第２の配管を利用してドレンタンクから排出弁を通じて排水路にドレンを排水することが可能となる。
【００２０】
また、たとえば浴槽ではなく洗い場など浴室内に入浴者がいるような状況でのドレン排出もあるが、このように排出弁として２つの逆止弁を組み合わせた構成を採用していることで、浴室内にいる入浴者に対しても誤解や故障の不安を生じさせることを防止できる。
【発明の効果】
【００２１】
以上説明したように本発明によれば、ドレンタンクを大型化する必要がなく、かつ注湯動作に要する時間の長時間化を防止できるドレン排出装置を得ることができる。
【図面の簡単な説明】
【００２２】
【図１】本発明の実施の形態１におけるドレン排出装置の自動注湯しながらドレンを排出する様子を示す概略図である。
【図２】本発明の実施の形態１におけるドレン排出装置のドレン排出後に配管を洗浄する様子を示す概略図である。
【図３】本発明の実施の形態１におけるドレン排出装置の給湯時の様子を示す概略図である。
【図４】本発明の実施の形態１におけるドレン排出装置の風呂追焚時の様子を示す概略図である。
【図５】本発明の実施の形態１におけるドレン排出装置の自動注湯しながらドレンを排出し、その後に配管を洗浄する動作を示すフローチャートである。
【図６】本発明の実施の形態２におけるドレン排出装置の自動注湯しながらドレンを排出する様子を示す概略図である。
【図７】本発明の実施の形態２におけるドレン排出装置の自動注湯しながらドレンを排出し、その後に配管を洗浄する動作を示すフローチャートである。
【図８】本発明の実施の形態２におけるドレン排出装置の変形例を示す概略図である。
【発明を実施するための形態】
【００２３】
以下、本発明の実施の形態について図に基づいて説明する。
（実施の形態１）
まず本実施の形態のドレン排出装置の構成について図１を用いて説明する。
【００２４】
図１を参照して、本実施の形態のドレン排出装置は、給湯装置１と浴槽４１との間で湯水を循環させるためのドレン排出装置であって、給湯装置１と、追焚配管２０と、排出弁３０と、浴槽４１と、浴槽循環アダプター４２とを主に有している。
【００２５】
浴槽循環アダプター４２は浴槽４１に取付けられている。追焚配管２０は、第１の配管２１と、第２の配管２２とを有している。第１および第２の配管２１、２２の各々の一方端は浴槽循環アダプター４２に接続されており、他方端は給湯装置１に接続されている。
【００２６】
排出弁３０は、浴槽４１の上流でドレンを排水路に排出するように第２の配管２２に接続されている。この排出弁３０は、たとえば２つの逆止弁３１、３２を組み合わせた構成を有している。逆止弁３１は、浴槽４１から給湯装置１側への湯水の流入を許容し、かつその逆を許容しないように第２の配管２２に接続されている。逆止弁３２は、第２の配管２２から分岐した配管２２ａに、給湯装置１から排水路側への湯水の流入を許容し、かつその逆を許容しないように接続されている。この配管２２ａは、逆止弁３１よりも給湯装置１側において第２の配管２２から分岐して排水路に向かって延びている。
【００２７】
給湯装置１は、切替弁２と、制御部３と、電動二方弁４と、逆止弁５と、ドレンタンク６と、燃焼バーナ７ａ、７ｂと、送風機８ａ、８ｂと、熱交換器９ａ、９ｂと、ドレン受け１０ａ、１０ｂと、注湯電磁弁１１と、風呂ポンプ１２と、スイッチ１３と、配管１５ａ〜１５ｈと、水位センサー１７とを主に有している。
【００２８】
風呂側熱交換器９ａおよび給湯側熱交換器９ｂのそれぞれは、燃焼バーナ７ａ、７ｂで発生する燃焼ガスとの間で熱交換を行なうためのものである。送風機８ａ、８ｂのそれぞれは燃焼バーナ７ａ、７ｂに対して燃焼に必要な空気を供給するためのものである。
【００２９】
ドレンタンク６は、風呂側熱交換器９ａおよび給湯側熱交換器９ｂの各々で発生したドレンを貯留するためのものである。風呂側熱交換器９ａおよび給湯側熱交換器９ｂの各々で発生したドレンは、ドレン受け１０ａ、１０ｂで受けられた後に、ドレンタンク６内へ導かれるようドレン受け１０ａ、１０ｂとドレンタンク６とは構成されている。
【００３０】
ドレンタンク６に取り付けられた水位電極Ｅ、Ｌ、Ｈ１、Ｈ２は、ドレンタンク６内におけるドレンの水位を検知するためのものである。この水位電極Ｅ、Ｌ、Ｈ１、Ｈ２は、ドレンタンク６内の最低水位（Ｌ：低位）を検出するための電極部と、最高水位（Ｈ２：高位）を検出するための電極部と、その間の高水位（Ｈ１）を検出するための電極部と、接地電極部Ｅとを有している。
【００３１】
風呂側熱交換器９ａの一方側には配管１５ｃが接続されており、他方側には配管１５ｄが接続されている。またドレンタンク６からドレンを排出するためにドレンタンク６に排出管１５ｅが接続されている。この配管１５ｃ、配管１５ｄおよび排出管１５ｅの各々と、追焚配管２０の第１および第２の配管２１、２２との接続を切り替え可能なように切替弁２が配置されている。
【００３２】
切替弁２は、たとえば２つの電動三方弁２ａ、２ｂを含んでいる。電動三方弁２ａは、配管１５ｃと、第１の配管２１に接続された配管１５ａと、第２の配管２２に接続された配管１５ｂとの各々に接続されている。電動三方弁２ｂは、配管１５ｄと、排出管１５ｅと、配管１５ｂとの各々に接続されている。
【００３３】
配管１５ｄには風呂ポンプ１２とスイッチ１３とが接続されており、排出管１５ｅには逆止弁５が接続されている。配管１５ａには電動二方弁４が接続されている。配管１５ｂには、浴槽４１の水位を検知するための水位センサー１７（水位検知部）が接続されている。
【００３４】
給湯側熱交換器９ｂの一方側には給湯側熱交換器９ｂに給水するための給水配管１５ｆが接続されており、他方側には給湯側熱交換器９ｂから出湯するための出湯配管１５ｇが接続されている。出湯配管１５ｇと配管１５ａとは配管１５ｈで接続されており、配管１５ｈには注湯電磁弁１１が接続されている。この注湯電磁弁１１は、風呂湯張り時に開弁して、出湯配管１５ｇの湯水を配管１５ｈを介して風呂回路に導くものである。
【００３５】
制御部３は、切替弁２（電動三方弁２ａ、２ｂ）と、風呂ポンプ１２と、電動二方弁４と、注湯電磁弁１１との各々に接続されている。これにより切替弁２（電動三方弁２ａ、２ｂ）と、風呂ポンプ１２と、電動二方弁４と、注湯電磁弁１１との各々の動作が制御部３によって制御可能である。
【００３６】
制御部３は、配管１５ｃ、配管１５ｄおよび排出管１５ｅの各々と、第１および第２の配管２１、２２の各々との接続を切り替えるよう切替弁２を制御可能である。また制御部３は、ドレンタンク６に貯留されたドレンを所定のタイミングで排出するよう制御可能である。制御部３は、電動二方弁４および注湯電磁弁１１の各々の開閉動作も制御可能である。
【００３７】
本実施の形態のドレン排出装置は、浴槽４１への注湯動作を行なっている最中に、制御部３からドレン排出指令が出されたときには、第１の配管２１を利用して給湯装置１から浴槽４１内へ湯水を搬送するとともに、第２の配管２２を利用してドレンタンク６から排出弁３０を通じて排水路にドレンを排水するよう構成されている。
【００３８】
また本実施の形態のドレン排出装置は、ドレンタンク６内のドレンの排出が完了したときには、切替弁２によって第１および第２の配管２１、２２を切り替えて第２の配管２２内に湯水を流入させて第２の配管２２内を洗浄するとともに、洗浄に用いた湯水を排出弁３０を通じて排水路に排水するよう構成されている。
【００３９】
また本実施の形態のドレン排出装置は、浴槽４１内に湯水が貯留されていることを水位センサー１７が検知していても、追焚動作中以外の動作状況であれば制御部３のドレン排出指令に基づいてドレンが排出弁３０を通じて排水路に排水可能に構成されている。
【００４０】
また本実施の形態のドレン排出装置は、浴槽４１に湯水が貯留されている場合、水位センサー１７が浴槽４１内の湯水の水位が所定の期間変動しない場合のみドレンを排出弁３０を通じて排水路に排水するように構成されている。
【００４１】
次に、本実施の形態のドレン排出装置における、自動注湯しながらドレン排出する動作と、ドレン排出後に配管洗浄する動作と、給湯動作と、風呂追焚動作とを、図１〜図５を用いて説明する。
【００４２】
まず図１および図５を参照して、自動注湯しながらドレン排出する動作においては、自動注湯のスタートとともに（ステップＳ１）、電動三方弁２ａ、２ｂがドレン排出から循環側へ切り替えられる（ステップＳ２ａ、Ｓ２ｂ）。つまり電動三方弁２ａによって配管１５ｃと配管１５ａとが接続され、かつ電動三方弁２ｂによって配管１５ｄと配管１５ｂとが接続される。また電動二方弁４が開いた状態にあることが確認される（ステップＳ２ｃ）。この後、注湯電磁弁１１が閉じた状態から開いた状態とされ（ステップＳ３）、給湯装置１による燃焼が開始される（ステップＳ４）。
【００４３】
これにより給湯側熱交換器９ｂで加熱された湯水が、注湯電磁弁１１および電動二方弁４を順に通過して、第１の配管２１に入って浴槽４１内へ自動注湯される。
【００４４】
ここで浴槽４１内に入浴者がいるか否かの判定がなされる（ステップＳ５）。浴槽４１内に入浴者がいない場合には、ドレンタンク６内の水位が高水位（Ｈ１）か否かの判定がなされる（ステップＳ６）。また浴槽４１内に入浴者がいる場合には、ドレンタンク６内の水位が最高水位（Ｈ２）未満か否かの判定がなされる（ステップＳ２１）。
【００４５】
上記においてドレンタンク６内の水位が高水位（Ｈ１）でない場合には、再度、ドレンタンク６内の水位が高水位（Ｈ１）か否かの判定がなされる（ステップＳ６）。またドレンタンク６内の水位が最高水位（Ｈ２）未満である場合には、ドレンの排出が禁止された後（ステップＳ２２）、再度、浴槽４１内に入浴者がいるか否かの判定がなされる（ステップＳ５）。
【００４６】
また上記において浴槽４１内に入浴者がおらずドレンタンク６内の水位が高水位（Ｈ１）である場合および浴槽４１内に入浴者がいてドレンタンク６内の水位が最高水位（Ｈ２）以上である場合には、電動三方弁２ａ、２ｂが循環からドレン排出側へ切り替えられる（ステップＳ７ａ、Ｓ７ｂ）。つまり電動三方弁２ａによって配管１５ｂと配管１５ｃとが接続され、かつ電動三方弁２ｂによって配管１５ｄと排出管１５ｅとが接続される。この後、風呂ポンプ１２がＯＦＦ状態からＯＮ状態とされる（ステップＳ８）。
【００４７】
これによりドレンタンク６内のドレンはドレンタンク６から排出され、その後、図１中の矢印で示すように電動三方弁２ｂ、風呂ポンプ１２、スイッチ１３、風呂側熱交換器９ａおよび電動三方弁２ａを順に通過して、第２の配管２２に入り、逆止弁３２を通って排水路に排水される。これにより、浴槽４１内に自動注湯しながらドレンタンク６内のドレンが排出される。
【００４８】
この後、ドレンタンク６内の水位が低水位（Ｌ）か否かの判定がなされる（ステップＳ９）。ドレンタンク６内の水位が低水位（Ｌ）でない場合には、ドレンタンク６内のドレンの排出を続けながら、再度、ドレンタンク６内の水位が低水位（Ｌ）か否かの判定がなされる（ステップＳ９）。またドレンタンク６内の水位が低水位（Ｌ）である場合には、風呂ポンプ１２がＯＮ状態からＯＦＦ状態とされて（ステップＳ１０）、ドレンタンク６内からのドレンの排出が停止される。
【００４９】
この後、ドレン排出後に配管洗浄する動作が行われる。この動作においては、電動三方弁２ａ、２ｂがドレン排出から循環側へ切り替えられる（ステップＳ１１ａ、Ｓ１１ｂ）。つまり電動三方弁２ａによって配管１５ｃと配管１５ａとが接続され、かつ電動三方弁２ｂによって配管１５ｄと配管１５ｂとが接続される。そして浴槽４１の水位が目標に達したか否かの判定がなされる（ステップＳ１２）。
【００５０】
浴槽４１の水位が目標に達していない場合には、再度、浴槽４１の水位が目標に達したか否かの判定がなされる（ステップＳ１２）。また浴槽４１の水位が目標に達した場合には、電動二方弁４が開いた状態から閉じた状態とされ（ステップＳ１３）、浴槽４１内への自動注湯が停止される。
【００５１】
図２を参照して、これにより給湯側熱交換器９ｂで加熱された湯水が、図中矢印で示すように、注湯電磁弁１１、電動三方弁２ａ、風呂側熱交換器９ａ、スイッチ１３、風呂ポンプ１２および電動三方弁２ｂを通過して、第２の配管２２に入る。これにより第２の配管２２内に湯水を流入させて第２の配管２２内においてドレンに含有していた成分を洗い流して洗浄することができる。洗浄に用いた湯水は排出弁３０を通じて排水路に排水される。
【００５２】
この後、ドレン排出後の配管洗浄タイマが作動し（ステップＳ１４）、タイマアップした時点で注湯電磁弁１１が開いた状態から閉じた状態とされ（ステップＳ１５）、ドレン排出後の配管洗浄動作が終了する。この後、給湯装置１による燃焼が停止されて（ステップＳ１６）、自動注湯プロセスが終了される（ステップＳ１７）。
【００５３】
図２を参照して、上述したように、ドレン排出後に配管洗浄する動作においては、電動三方弁２ａによって配管１５ｃと配管１５ａとが接続され、かつ電動三方弁２ｂによって配管１５ｄと配管１５ｂとが接続される。また注湯電磁弁１１が開いた状態とされる。この状態で、風呂ポンプ１２がＯＮ状態とされる。
【００５４】
図３を参照して、給湯時においては、電動三方弁２ａによって配管１５ｃと配管１５ｂとが接続され、かつ電動三方弁２ｂによって配管１５ｄと排出管１５ｅとが接続される。また注湯電磁弁１１が閉じた状態とされる。この状態で、風呂ポンプ１２がＯＮ状態とされる。
【００５５】
これによりドレンタンク６内のドレンはドレンタンク６から排出され、その後、図３中の矢印で示すように電動三方弁２ｂ、風呂ポンプ１２、スイッチ１３、風呂側熱交換器９ａおよび電動三方弁２ａを順に通過して、第２の配管２２に入り、逆止弁３２を通って排水路に排水される。これにより、給湯側熱交換器９ｂで給湯しながら、ドレンを排出することができる。
【００５６】
図４を参照して、風呂追焚動作においては、電動三方弁２ａによって配管１５ｃと配管１５ａとが接続され、かつ電動三方弁２ｂによって配管１５ｄと配管１５ｂとが接続される。また注湯電磁弁１１が閉じた状態とされる。この状態で、風呂ポンプ１２がＯＮ状態とされる。
【００５７】
これにより浴槽４１内の湯水が第２の配管２２を通過した後、電動三方弁２ｂ、風呂ポンプ１２およびスイッチ１３を通って風呂側熱交換器９ａで加熱される。風呂側熱交換器９ａで加熱された湯水は、電動三方弁２ａおよび電動二方弁４を通過して、第１の配管２１を通って浴槽４１内へ供給される。これにより、浴槽４１内の湯水を追焚することができる。
【００５８】
次に、本実施の形態のドレン排出装置の作用効果について説明する。
本実施の形態のドレン排出装置によれば、図１に示すように浴槽４１への注湯動作を行なっている最中に第２の配管２２を利用してドレンタンク６からドレンが排水される。このため、注湯動作時などにもドレンタンク６内にドレンを貯めておく必要がなく、ドレンタンク６を大型化する必要がない。よってドレンタンク６の大型化に伴う給湯装置１の大型化を防止することができる。
【００５９】
またドレンタンク６からドレンを排水する際に注湯動作を一時停止する必要もないため、注湯動作に要する時間の長時間化を防止することができる。
【００６０】
またドレンタンク６内のドレンの排出が完了したときには、図２に示すように第２の配管２２内に湯水を流入させて第２の配管２２内を洗浄するとともに、洗浄に用いた湯水を排出弁３０を通じて排水路に排水することができる。
【００６１】
浴槽４１内に湯水が貯留されている場合でも給湯装置１がシャワーや台所に給湯するために使用されている場合には、ドレンタンク６にはドレンが貯留されていき、ドレンがドレンタンク６から溢れる可能性がある。
【００６２】
これに対して本実施の形態のドレン排出装置によれば、浴槽４１内に湯水が貯留されていることを水位センサー１７（水位検知部）が検知していても、追焚動作中以外の動作状況（図１に示す自動注湯しながらドレン排出動作、図３に示す給湯動作など）であればドレンが排水可能である。このため、浴槽４１内に湯水が貯留されている場合でも給湯装置１がシャワーや台所に給湯するために使用されている最中にドレンを排出することができる。よって、ドレンがドレンタンク６から溢れることが防止され得る。
【００６３】
また仮に浴槽４１に人（入浴者など）がいる場合に、その人の動作に連動しないタイミングでドレン排出のための動作音が生じると、装置の故障などとの勘違いや不安を生じさせるおそれがある。
【００６４】
これに対して本実施の形態のドレン排出装置は、浴槽４１に湯水が貯留されている場合、水位センサー１７が浴槽４１内の湯水の水位が所定の期間変動しない場合のみドレンを排出弁３０を通じて排水路に排水するように構成されている。つまり水位センサー１７が浴槽４１内の湯水の水位が所定の期間変動しない場合には浴槽４１に人がいないと判断して、浴槽４１に湯水があってもドレン排出が許可される。このため、ユーザーに装置の故障などの勘違いや不安を生じさせることを防止できる。
【００６５】
また切替弁２が給湯装置１内に設けられた２つの電動三方弁２ａ、２ｂであり、排出弁３０が２つの逆止弁３１、３２を組み合わせた構成を有している。これにより、浴槽４１への注湯動作を行なっている最中に、制御部３からドレン排出指令が出されたときに、第１の配管２１を利用して給湯装置１から浴槽４１内へ湯水を搬送するとともに、第２の配管２２を利用してドレンタンク６から排出弁３０を通じて排水路にドレンを排水することが可能となる。
【００６６】
また、たとえば浴槽４１ではなく洗い場など浴室内に入浴者がいるような状況でのドレン排出もあるが、このように排出弁３０として２つの逆止弁３１、３２を組み合わせた構成を採用していることで、浴室内にいる入浴者に対しても誤解や故障の不安を生じさせることを防止できる。
【００６７】
（実施の形態２）
図６を参照して、本実施の形態のドレン排出装置の構成は、図１に示す実施の形態１の構成と比較して、追焚配管の第１の配管２１と風呂側熱交換器９ａとが電動三方弁を介在さずに配管１５ａで直接に接続されている点と、第２の配管２２に排出弁として２つの逆止弁が設けられておらず第１の配管２１に排出弁として三方弁３０が設けられている点と、配管１５ｂに電動二方弁１６が取り付けられている点と、その電動二方弁１６と電動三方弁２ｂとの間の配管１５ｂに配管１５ｈが接続されている点とにおいて異なっている。
【００６８】
なお、これ以外の本実施の形態の構成は実施の形態１の構成とほぼ同じであるため、同一の要素については同一の符号を付し、その説明を繰り返さない。
【００６９】
次に、本実施の形態のドレン排出装置において、自動注湯しながらドレン排出し、その後に洗浄する動作について図６および図７を用いて説明する。
【００７０】
図６および図７を参照して、この動作においては、自動注湯のスタートとともに（ステップＳ３１）、電動三方弁２ｂが循環、注湯側になっていることと、電動二方弁１６が開いた状態になっていることと、排出弁３０が循環、注湯側になっていることとが確認される（ステップＳ３２ａ、Ｓ３２ｂ、Ｓ３２ｃ）。つまり電動三方弁２ｂによって配管１５ｄと配管１５ｂとが接続され、かつ排出弁３０によって第１の配管２１と浴槽４１とが接続されていることが確認される。この後、注湯電磁弁１１が閉じた状態から開いた状態とされ（ステップＳ３３）、給湯装置１による燃焼が開始される（ステップＳ３４）。
【００７１】
これにより給湯側熱交換器９ｂで加熱された湯水が、注湯電磁弁１１および電動二方弁１６を順に通過して、第２の配管２２に入って浴槽４１内へ自動注湯される。
【００７２】
ここで浴槽４１内に入浴者がいるか否かの判定がなされる（ステップＳ３５）。浴槽４１内に入浴者がいない場合には、ドレンタンク６内の水位が高水位（Ｈ１）か否かの判定がなされる（ステップＳ３６）。また浴槽４１内に入浴者がいる場合には、ドレンタンク６内の水位が最高水位（Ｈ２）未満か否かの判定がなされる（ステップＳ５１）。
【００７３】
上記においてドレンタンク６内の水位が高水位（Ｈ１）でない場合には、再度、ドレンタンク６内の水位が高水位（Ｈ１）か否かの判定がなされる（ステップＳ３６）。またドレンタンク６内の水位が最高水位（Ｈ２）未満である場合には、ドレンの排出が禁止された後（ステップＳ５２）、再度、浴槽４１内に入浴者がいるか否かの判定がなされる（ステップＳ３５）。
【００７４】
また上記において浴槽４１内に入浴者がおらずドレンタンク６内の水位が高水位（Ｈ１）である場合および浴槽４１内に入浴者がいてドレンタンク６内の水位が最高水位（Ｈ２）以上である場合には、電動三方弁２ｂおよび排出弁３０が循環からドレン排出側へ切り替えられる（ステップＳ３７ａ、Ｓ３７ｂ）。つまり電動三方弁２ｂによって配管１５ｄと排出管１５ｅとが接続され、かつ排出弁３０によって第１の配管２１と排出路側の配管とが接続される。この後、風呂ポンプ１２がＯＦＦ状態からＯＮ状態とされる（ステップＳ３８）。
【００７５】
これによりドレンタンク６内のドレンがドレンタンク６から排出され、その後、図６中の矢印で示すように電動三方弁２ｂ、風呂ポンプ１２、スイッチ１３および風呂側熱交換器９ａを順に通過して、第１の配管２１に入り、排出弁３０を通って排水路に排水される。これにより、浴槽４１内に自動注湯しながらドレンが排出される。
【００７６】
この後、ドレンタンク６内の水位が低水位（Ｌ）か否かの判定がなされる（ステップＳ３９）。ドレンタンク６内の水位が低水位（Ｌ）でない場合には、ドレンタンク６内のドレンの排出を続けながら、再度、ドレンタンク６内の水位が低水位（Ｌ）か否かの判定がなされる（ステップＳ３９）。またドレンタンク６内の水位が低水位（Ｌ）である場合には、風呂ポンプ１２がＯＮ状態からＯＦＦ状態とされて（ステップＳ４０）、ドレンタンク６内からのドレンの排出が停止される。
【００７７】
この後、電動三方弁２ｂがドレン排出から循環側へ切り替えられる（ステップＳ４１）。つまり電動三方弁２ｂによって配管１５ｄと配管１５ｂとが接続される。また電動二方弁１６が開いた状態から閉じた状態とされる（ステップＳ４２）。これにより、給湯側熱交換器９ｂで加熱された湯水が、注湯電磁弁１１、電動三方弁２ｂ、風呂ポンプ１２、スイッチ１３および風呂側熱交換器９ａを順に通過して、第１の配管２１に入る。これにより第１の配管２１内に湯水を流入させて第１の配管２１内を洗浄することができる。第１の配管２１内を洗浄した湯水は、排出弁３０を通じて排出路へ排水される。
【００７８】
この後、ドレン排出後の配管洗浄タイマが作動し（ステップＳ４３）、タイマアップした時点で電動二方弁１６が閉じた状態から開いた状態とされる（ステップＳ４４）。また排出弁３０がドレン排出から循環側へ切り替えられる（ステップＳ４５）。つまり排出弁３０によって第１の配管２１が浴槽４１と接続される。これにより、ドレン排出後の配管洗浄動作が終了する。そして浴槽４１の水位が目標に達したか否かの判定がなされる（ステップＳ４６）。
【００７９】
浴槽４１の水位が目標に達していない場合には、再度、浴槽４１の水位が目標に達したか否かの判定がなされる（ステップＳ４６）。また浴槽４１の水位が目標に達した場合には、注湯電磁弁１１が開いた状態から閉じた状態とされ（ステップＳ４７）、浴槽４１内への自動注湯が停止される。この後、給湯装置１による燃焼が停止されて（ステップＳ４８）、自動注湯プロセスが終了される（ステップＳ４９）。
【００８０】
次に、本実施の形態のドレン排出装置の作用効果について説明する。
本実施の形態のドレン排出装置によれば、図６に示すように浴槽４１への注湯動作を行なっている最中に第１の配管２１を利用してドレンタンク６からドレンが排水される。このため、注湯動作時などにもドレンタンク６内にドレンを貯めておく必要がなく、ドレンタンク６を大型化する必要がない。よってドレンタンク６の大型化に伴う給湯装置１の大型化を防止することができる。
【００８１】
またドレンタンク６からドレンを排水する際に注湯動作を一時停止する必要もないため、注湯動作に要する時間の長時間化を防止することができる。
【００８２】
またドレンタンク６内のドレンの排出が完了したときには、第１の配管２１内に湯水を流入させて第１の配管２１内を洗浄するとともに、洗浄に用いた湯水を排出弁３０を通じて排水路に排水することができる。
【００８３】
浴槽４１内に湯水が貯留されている場合でも給湯装置１がシャワーや台所に給湯するために使用されている場合には、ドレンタンク６にはドレンが貯留されていき、ドレンがドレンタンク６から溢れる可能性がある。
【００８４】
これに対して本実施の形態のドレン排出装置によれば、浴槽４１内に湯水が貯留されていることを水位センサー１７（水位検知部）が検知していても、追焚動作中以外の動作状況（図６に示す自動注湯しながらドレン排出動作、給湯動作など）であればドレンが排水可能である。このため、浴槽４１内に湯水が貯留されている場合でも給湯装置１がシャワーや台所に給湯するために使用されている最中にドレンを排出することができる。よって、ドレンがドレンタンク６から溢れることが防止され得る。
【００８５】
また仮に浴槽４１に人（入浴者など）がいる場合に、その人の動作に連動しないタイミングでドレン排出のための動作音が生じると、装置の故障などとの勘違いや不安を生じさせるおそれがある。
【００８６】
これに対して本実施の形態のドレン排出装置は、浴槽４１に湯水が貯留されている場合、水位センサー１７が浴槽４１内の湯水の水位が所定の期間変動しない場合のみドレンを排出弁３０を通じて排水路に排水するように構成されている。つまり水位センサー１７が浴槽４１内の湯水の水位が所定の期間変動しない場合には浴槽４１に人がいないと判断して、浴槽４１に湯水があってもドレン排出が許可される。このため、ユーザーに装置の故障などの勘違いや不安を生じさせることを防止できる。
【００８７】
上記の実施の形態２においては、配管１５ｂに電動二方弁１６を接続した構成について説明したが、図８に示すように電動二方弁１６に代えて電動三方弁１６が配管１５ｂ、１５ｈに接続されても同様の動作が可能である。
【００８８】
また上記の実施の形態１においては、切替弁２として１つの電動四方弁が設けられてもよい。
【００８９】
また上記の実施の形態１および２のドレン排出装置は、潜熱回収型給湯装置のドレンだけに限られず、風呂給湯装置、風呂給湯暖房装置などの不用水を排水路へ排水することもできる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９１】
本発明は、追焚配管を有するドレン排出装置に有利に適用され得る。
【符号の説明】
【００９２】
１  給湯装置、２  切替弁、２ａ，２ｂ  電動三方弁、３  制御部、４  電動二方弁、５  逆止弁、６  ドレンタンク、７ａ，７ｂ  燃焼バーナ、８ａ，８ｂ  送風機、９ａ  風呂側熱交換器、９ｂ  給湯側熱交換器、１１  注湯電磁弁、１２  風呂ポンプ、１３  スイッチ、１５ａ〜１５ｈ  配管、１６  電動二方弁（電動三方弁）、１７  水位センサー、２０  追焚配管、２１  第１の配管、２２  第２の配管、２２ａ  配管、３０  排出弁、３１，３２  逆止弁、４１  浴槽、４２  浴槽循環アダプター。
【図１】
0005887873.tif 000002
【図２】
0005887873.tif 000003
【図３】
0005887873.tif 000004
【図４】
0005887873.tif 000005
【図５】
0005887873.tif 000006
【図６】
0005887873.tif 000007
【図７】
0005887873.tif 000008
【図８】
0005887873.tif 000009